(57)【要約】      （修正有）【課題】主として在宅保護者が安全に、かつ容易に歩行訓練が出来、比較的簡便に購入出来、２分割して袋内に収納可能に形成される在宅介護用歩行訓練具を提供する。【解決手段】在宅介護用歩行訓練具１００は小リング１と大リング２と高さ調整部材３とマット部材や腰掛ベルト等からなり、内部に収納された人体を安全と、かつ容易に任意の方向に移動出来るように構成される。【選択図】図１
0003181403.tif 000002
【実用新案登録請求の範囲】
【請求項１】
主として在宅で歩行不十分の人の歩行訓練が出来る簡便な歩行訓練具であって、該歩行訓練具は、最上方側に人体の胸部近傍の全体を囲んで保持出来開閉及び分離自在の小リングと、地面上にキャスタを介して支持される開閉及び分離自在の大リングと、前記小リングと大リングとの間に高さ方向調整自在に介設され小リングを支持する高さ調整部材と、前記小リングに取り付けられ人体の股の部分を通って腰部を浮かし状態に保持するバンド状の腰掛けベルトと、前記小リング上に設けられ人体の腕のつけ根の部分に当接してクッション機能を有するマット部材とからなることを特徴とする在宅介護用歩行訓練具。
【請求項２】
前記小リング，大リング，高さ調整部材が成型樹脂又はスチール又は木材からなることを特徴とする請求項１に記載の在宅介護用歩行訓練具。
【請求項３】
小リング及び大リングを分離することにより訓練具は２分割され、分離状態で１つの袋内に収納されることを特徴とする請求項１又は２に記載の在宅介護用歩行訓練具。
【考案の詳細な説明】
【技術分野】
【０００１】  本考案は、歩行が不十分の人が主として在宅で歩行訓練が容易に出来、かつその人の身長等に合わせて高さ調整が出来、安全性が高く、比較的安価に形成可能であり、持ち運びも出来る在宅介護用歩行訓練具に関する。
【背景技術】
【０００２】  年を重ねると足，腰が弱くなり、歩行が十分に出来なくなる不具合が発生する。そのためには取り扱いが簡単で在宅でも簡単に使用出来、安価に購入出来、安全性の高い歩行訓練用の器具が必要である。そのために、従来より各種の歩行訓練具等が開発され開示されているが後に説明する本考案に比較的似ているものとして「特許文献１」が挙げられる。
【先行技術文献】
【特許文献】
【０００３】
【特許文献１】特許第４７８０４３５号（図１）
【考案の概要】
【考案が解決しようとする課題】
【０００４】  前記の「特許文献１」の「特許第４７８０４３５号」の「全方向移動機能を持つ歩行機能障害者の機能回復用歩行訓練機」は、電動式アクチュエータによって作動するオムニホイール（１）を有する全方向移動機構と、開口自在に上下に形成されて連結されている大小のリング状の支持部（２）とからなり、人はこの支持部（２）によって囲まれて立ち上がり、安全保持されると共にオムニホイール（１）を作動することにより全方向に容易に移動出来るように形成されているものである。
このものは全体構造としては後に説明する本考案と似ている箇所もあるが、オムニホイール（１）を使用する高価のものであり、在宅介護者が安価に、かつ簡便に使用出来るものでなく、かつ安全性においても本考案に較べて不十分である問題点を有している。また、分割出来るものではなく、持ち運びすることが出来ない。【０００５】  在宅用の歩行訓練具としては取り扱い性がよく、安全性が高く、比較的安価に購入出来持ち運びも可能なものが期待される。しかしながら、この要請に対して満足出来る歩行訓練具は本考案者の調査によっては見出せない。【０００６】  本考案は、以上の事情に鑑みて考案されたものであり、在宅においても容易に使用出来、取り扱い性もよく持ち運びが出来、安全性が高く、安価に製作購入可能であって、身長差があっても十分に対応出来る在宅介護用歩行訓練具を提供することを目的とする。
【課題を解決するための手段】
【０００７】  本考案は、以上の目的を達成するために、請求項１の考案は、主として在宅で歩行不十分の人の歩行訓練が出来る簡便な歩行訓練具であって、該歩行訓練具は、最上方側に人体の胸部近傍の全体を囲んで保持出来開閉及び分離自在の小リングと、地面上にキャスタを介して支持される開閉及び分離自在の大リングと、前記小リングと大リングとの間に高さ方向調整自在に介設され小リングを支持する高さ調整部材と、前記小リングに取り付けられ人体の股の部分を通って腰部を浮かし状態に保持するバンド状の腰掛けベルトと、前記小リング上に設けられ人体の腕のつけ根の部分に当接してクッション機能を有するマット部材とからなることを特徴とする。【０００８】  また、請求項２の考案は、前記小リング，大リング，高さ調整部材が成型樹脂又はスチール又は木材からなることを特徴とする。【０００９】  また、請求項３の考案は、小リング及び大リングを分離することにより訓練具は２分割され、分離状態で１つの袋内に収納されることを特徴とする。
【考案の効果】
【００１０】  本考案の請求項１の在宅介護用歩行訓練具によれば、この機具の使用者は開閉自在の小リング及び大リングを開口してそれ等の中に容易に入ってこれ等を閉止することにより囲まれて安全に保持され、小リングを把持して容易に任意の方向に歩くことが出来る。また、高さ調整部材があるため身長やその人の姿勢等に合わせて小リングの高さ位置が調整され安全に保持される。また、腰掛ベルトにより腰が浮いた状態で保持され歩行の容易化が図れる。また、マット部材により膝のつけ根の部分がクッション状に支持されるため、長時間の歩行においても各部に無理な力が作用しない。また、全体の構成部材が安価のため、在宅介護者でも容易に購入可能である。【００１１】  また、本考案の請求項２の在宅介護用歩行訓練具によれば、小リング，大リングや高さ調整部材等の主構成部材が樹脂，スチール，木材の如く安価に入手出来作成出来る安価のものからなり、全体として安価に形成することが出来る。【００１２】  本考案の請求項３の在宅介護用歩行訓練具によれば、小リングと大リングを分離することにより２分割されるため袋内に収納して任意の場所に持ち運び出来る。
【図面の簡単な説明】
【００１３】
【図１】本考案の在宅介護用歩行訓練具の全体構造を示す正面図（ａ）、（ａ）の高さ調整部材の部分の側面図（ｂ）、（ｂ）のＡ−Ａ線断面図（ｃ）。
【図２】本考案の在宅介護用歩行訓練具の概要構造を示す模式的斜視図。
【図３】小リング及び大リングとその結合状態を示す平面図。
【図４】人を内部に収納するために小リング及び大リングを開いた状態を示す平面図。
【図５】小リング及び大リングを分離し２分割した状態を示す平面図。
【図６】２分割したものの袋内への収納状態を示す模式図。
【図７】マット部材の配置状態を示す模式図。
【図８】本考案の在宅介護用歩行訓練具内に使用者が入った状態を示す参考図。
【図９】腰掛ベルトの使用状態を示す参考図（ａ），（ｂ）。
【考案を実施するための形態】
【００１４】  以下、本考案の在宅介護用歩行訓練具の実施の形態を図面を参照して詳述する。
【００１５】  図１及び図２に示すように、本考案の在宅介護用歩行訓練具１００は、その主要構成要素としては最上部に配置される小リング１と最下部に配置される大リング２と小リングと大リング２とに介設され小リング１を支える高さ調整部材３等とからなる。
【００１６】  小リング１及び大リング２は図１，図３等に示すように開閉及び分離可能なヒンジ４，５によって連結されるリング状部材からなる。なお、ヒンジ４及びヒンジ５は小リング１及び大リング２に夫々相対向する位置に２個設けられており、１つのヒンジ４又は５を外すことによって小リング１及び大リング２は片開きし（図４に示す）、２個のヒンジ４及びヒンジ５を外すことにより小リング１及び大リング２は２分割される（図５に示す）。
【００１７】  以上のように小リング１及び大リング２の２個のヒンジ及びヒンジ５を外すことにより在宅介護用歩行訓練具１００は中央部から２分割され図６に示すように分割した状態で袋１３内に収納され、持ち運び自在となる。
【００１８】  以上のように、小リング及び大リング２は片開きすることによって容易にこれ等の中に人体１１が収納される（図８）。なお、人体１１は小リング１により胸まわりの全周が保持され、安全に直立姿勢を保持することが出来る。
また、図１に示すように大リング２にはキャスタ６が設けられ、これにより在宅介護用歩行訓練具１００は簡単に任意の場所に移動することが出来る。
【００１９】  高さ調整部材３は図１に示すように大リング２側に下端を連結して立設する摺動体３ｂと小リング１に上端を連結して垂下し摺動体３ｂ内により摺動自在に保持されるガイド部材３ａとからなる。ガイド部材３ａに複数の小孔１４が設けられ、小孔１４に大リング２側に設けられている止め具７を小孔１４に挿入することにより小リング１の高さ位置が決定され、これにより高さ調整を簡単に行うことが出来る。また、ガイド部材３ａには人体１１の手で握られる把持部１５が設けられ、これを握ることにより人体１１が安全に、かつ楽に立ち上がり姿勢を保持することが出来る。
【００２０】  図７に示すように小リング１に固定されるマット部材８は腕１０のつけ根９の部分に挿入され腕のつけ根を支持し人体１１を浮かすように支持すると共につけ根９の部分にクッション状に当接して人体１１を保護すべく機能する。
【００２１】  腰掛ベルト１２は図９（ａ），（ｂ）に示すような構造のものからなり、紐状のベルトからなり、その一端部を小リング１に固定し、開放側を人体１１の外側から股の部分を通して人体１１を支持し再び小リング１側に戻して人体１１を浮かし状態に支持するものからなる。この腰掛ベルト１２により人体１１は安全に、かつ自重を支持する状態で歩行の容易化を図るようにしている。
【００２２】  以上のように、この在宅介護用歩行訓練具１００を使用する人は小リング１や大リング２を開口してその中に入り、高さ調整を行った後に小リング１や大リング２を閉止し、腰掛ベルト１２により支持されると共にマット部材８で支えられる。この状態において人はキャスタ６に支持されて任意の方向に移動出来、歩行の訓練を容易に、かつ安全に行うことが出来る。また、分割して袋１３内に収納し、任意の場所に持ち運びすることが出来る。
【００２３】  本考案の在宅介護用歩行訓練具１００は以上の説明の如きものからなるが、その内容は以上の説明に限定するものでなく、同一技術的範疇のものが適用されることは勿論である。
【産業上の利用可能性】
【００２４】  本考案の在宅介護用歩行訓練具１００は主として在宅保護者の歩行訓練用として使用されるが、使用者は勿論その人達に限定するものではなく、軽い歩行訓練を必要とする人達にも適用され、その利用範囲は極めて広い。
【符号の説明】
【００２５】１      小リング
２      大リング
３      高さ調整部材
３ａ    ガイド部材
３ｂ    摺動体
４      ヒンジ（丁番）
５      ヒンジ（丁番）
６      キャスタ
７      止め具
８      マット部材
９      つけ根
１０    腕
１１    人体
１２    腰掛ベルト
１３    袋
１４    小孔
１５    把持部
１００  在宅介護用歩行訓練具
【図１】
0003181403.tif 000003
【図２】
0003181403.tif 000004
【図３】
0003181403.tif 000005
【図４】
0003181403.tif 000006
【図５】
0003181403.tif 000007
【図６】
0003181403.tif 000008
【図７】
0003181403.tif 000009
【図８】
0003181403.tif 000010
【図９】
0003181403.tif 000011